(57)【要約】【課題】ＦＰＤで放射線画像の撮影順序や撮影内容を変更することができ、撮影者の労力を軽減して作業効率を向上させることができる放射線画像検出装置及び放射線画像撮影システムとする。【解決手段】放射線画像撮影システム１００において、被写体を透過した放射線を検出し、放射線画像情報を取得する放射線画像検出装置１０と、放射線撮影の順序及び／又は内容を設定可能な制御装置３０と、放射線画像検出装置と前記制御装置とを接続する通信回線Ｎとを備え、制御装置は、設定した放射線撮影の順序及び／又は内容を通信回線を介して放射線画像検出装置に送信し、放射線画像検出装置は、制御装置から送信された放射線撮影の順序及び／又は内容を変更可能な設定変更手段を備える。【選択図】図１
2006116001.tif 000002
【特許請求の範囲】
【請求項１】
被写体を透過した放射線を検出し、放射線画像情報を取得する放射線画像検出装置において、
予め放射線撮影の順序及び／又は内容を設定する設定手段と、
前記設定手段により予め設定された放射線撮影の順序及び／又は内容を変更可能な設定変更手段と、
を備えることを特徴とする放射線画像検出装置。
【請求項２】
前記設定手段により予め設定された放射線撮影の順序及び／又は内容を表示すると共に、前記設定変更手段により放射線撮影の順序及び／又は内容が変更された場合には、変更された放射線撮影の順序及び／又は内容を表示する表示手段を備えることを特徴とする請求項１に記載の放射線画像検出装置。
【請求項３】
被写体を透過した放射線を検出し、放射線画像情報を取得する放射線画像検出装置と、
放射線撮影の順序及び／又は内容を設定可能な制御装置と、
前記放射線画像検出装置と前記制御装置とを接続する通信回線と、
を備え、
前記制御装置は、設定した放射線撮影の順序及び／又は内容を前記通信回線を介して放射線画像検出装置に送信し、
前記放射線画像検出装置は、前記制御装置から送信された放射線撮影の順序及び／又は内容を変更可能な設定変更手段を備えることを特徴とする放射線画像撮影システム。
【請求項４】
前記放射線画像検出装置は、前記設定変更手段により前記制御装置から送信された放射線撮影の順序及び／又は内容を変更した場合、変更された放射線撮影の順序及び／又は内容を前記制御装置に送信することを特徴とする請求項３に記載の放射線画像撮影システム。
【請求項５】
前記放射線画像検出装置は表示手段を備えており、
前記表示手段は、前記制御装置から送信された放射線撮影の順序及び／又は内容を表示すると共に、前記設定変更手段により放射線撮影の順序及び／又は内容が変更された場合には、変更された放射線撮影の順序及び／又は内容を表示することを特徴とする請求項３又は４に記載の放射線画像撮影システム。
【請求項６】
前記通信回線が無線であることを特徴とする請求項３〜５のいずれか一項に記載の放射線画像撮影システム。
【発明の詳細な説明】
【技術分野】
【０００１】
本発明は、Ｘ線画像に代表される放射線画像を撮影する放射線画像検出装置及び放射線画像撮影システムに関する。
【背景技術】
【０００２】
従来、医療診断にあっては、被写体にＸ線等の放射線を照射し、当該被写体を透過した放射線の強度分布を検出して得られた放射線画像が広く利用されている。また、近年では、撮影に際し放射線を検出して電気信号に変換し放射線画像情報として蓄積するＦＰＤ（Flat Panel Detector）を放射線画像検出装置に用いた放射線画像撮影システムが提案されている。
【０００３】
この放射線画像撮影システムにあっては、ＦＰＤが通信機能を備えており、病院内の情報を管理するシステム（以下、ＨＩＳ；Hospital Information Systemという。）や放射線科内の情報を管理するシステム（以下、ＲＩＳ；Radiology Information Systemという。）等にＬＡＮ（Local Area Network）等の通信回線を介して接続され、取得した放射線画像をシステムの制御装置（情報管理装置）に送信することが可能である（例えば、特許文献１参照）。
【０００４】
また、ＦＰＤの運搬性・取扱い性の向上を目的として当該ＦＰＤをカセッテに収容したカセッテ型ＦＰＤも開発されている（例えば、特許文献２参照）。
【０００５】
さらに、カセッテ型ＦＰＤと制御装置とが無線により放射線画像等の各種情報を通信可能にシステム構成されたものも提案されている（例えば、特許文献３参照）。
【０００６】
特に最近では、持ち運び可能なカセッテ型ＦＰＤを利用して、患者が収容されている病室内のベットサイドでＸ線撮影が行える移動型の放射線画像検出装置（以下、ポータブル撮影装置という。）が実現されている。このポータブル撮影装置を用いれば、骨折や脳血管疾患等の患者や集中治療室にて管理中の患者等、放射線撮影室まで移動できない患者に対してもＸ線撮影を容易に行うことができる。
【０００７】
ポータブル撮影装置により回診先で複数の撮影を行う場合、まず撮影者は、制御装置からＨＩＳやＲＩＳ等を介して、医師からの指示により作成された撮影オーダ情報をＦＰＤに受信させる。この撮影オーダ情報には、撮影する患者の氏名等の患者に関する情報や、撮影部位や撮影方法等の撮影の内容に関する情報、撮影を行う順序に関する情報等が含まれ、どの患者に対して、どのような内容の撮影をどういう順序で行うかといった指示が示されている。
【０００８】
次いで、ポータブル撮影装置、カセッテ型ＦＰＤ等を患者がいる病室に搬送し、ポータブル撮影装置を操作して、ＦＰＤが受信した撮影オーダ情報に設定された順序に基づき患者の撮影を実行し、放射線画像をＦＰＤに記録する。
【０００９】
そして、撮影終了後、または撮影を続けながら、撮影した順に放射線画像を制御装置に送信する。制御装置においては、送信された放射線画像を、設定された撮影順序に従って撮影オーダ情報と対応付けを行い、放射線画像を管理する。
【特許文献１】特開２００３−１９９７３６号公報
【特許文献２】特開平６−３４２０９９号公報
【特許文献３】特開２００３−２１０４４４号公報
【発明の開示】
【発明が解決しようとする課題】
【００１０】
ところで、患者の容態等、撮影時の状況によっては、予め制御装置で設定された撮影順序とは異なる撮影順序で放射線画像の撮影を行った方が良いと判断される場合もある。また、予め制御装置で設定された撮影部位や撮影方向等の内容とは異なる撮影内容で放射線画像の撮影を行った方が良いと判断される場合もある。しかしながら、前記したような放射線画像撮影システムでは、制御装置で設定されて通信回線を介して送信された撮影順序や撮影内容の情報をＦＰＤで変更することができないようになっていた。そのため、撮影順序や撮影内容を変更しようとすると、制御装置で撮影順序や撮影内容を変更して、当該変更された撮影順序や撮影内容の情報を含む撮影オーダ情報を、再度ＦＰＤに対して送信しなければならず、多大な労力を必要とし、作業効率が低下するという問題が生じていた。
【００１１】
そこで、本発明の課題は、ＦＰＤ（放射線画像検出装置）で放射線画像の撮影順序や撮影内容を変更することができ、撮影者の労力を軽減して作業効率を向上させることができる放射線画像検出装置及び放射線画像撮影システムを提供することを目的とする。
【課題を解決するための手段】
【００１２】
前記課題を解決するため、請求項１に記載の発明は、
被写体を透過した放射線を検出し、放射線画像情報を取得する放射線画像検出装置において、
予め放射線撮影の順序及び／又は内容を設定する設定手段と、
前記設定手段により予め設定された放射線撮影の順序及び／又は内容を変更可能な設定変更手段と、
を備えることを特徴としている。
【００１３】
ここで、設定手段は、放射線画像検出装置に直接設定されていても良いし、放射線画像撮影システムに組み込まれて制御装置からの設定を受信することにより設定されるようになっていても良い。
【００１４】
このように請求項１に記載の発明によれば、放射線画像検出装置が、予め放射線撮影の順序及び／又は内容を設定する設定手段と、設定手段により予め設定された放射線撮影の順序及び／又は内容を変更可能な設定変更手段とを備えるため、患者の容態等、撮影時の状況により放射線画像の撮影順序や撮影内容を変更する必要がある場合に、簡単に撮影順序や撮影内容の変更を行うことができる。
【００１５】
請求項２に記載の発明は、請求項１に記載の放射線画像検出装置において、
前記設定手段により予め設定された放射線撮影の順序及び／又は内容を表示すると共に、前記設定変更手段により放射線撮影の順序及び／又は内容が変更された場合には、変更された放射線撮影の順序及び／又は内容を表示する表示手段を備えることを特徴としている。
【００１６】
このように請求項２に記載の発明によれば、放射線画像検出装置が、設定手段により予め設定された放射線撮影の順序及び／又は内容を表示すると共に、設定変更手段により放射線撮影の順序及び／又は内容が変更された場合には、変更された放射線撮影の順序及び／又は内容を表示する表示手段を備えるため、撮影者が放射線画像の撮影順序や撮影内容を確認し易く、また、放射線画像の撮影順序や撮影内容を確認しながら撮影順序や撮影内容の変更を行うことができる。
【００１７】
請求項３に記載の発明は、
放射線画像撮影システムにおいて、
被写体を透過した放射線を検出し、放射線画像情報を取得する放射線画像検出装置と、
放射線撮影の順序及び／又は内容を設定可能な制御装置と、
前記放射線画像検出装置と前記制御装置とを接続する通信回線と、
を備え、
前記制御装置は、設定した放射線撮影の順序及び／又は内容を前記通信回線を介して放射線画像検出装置に送信し、
前記放射線画像検出装置は、前記制御装置から送信された放射線撮影の順序及び／又は内容を変更可能な設定変更手段を備えることを特徴としている。
【００１８】
このように請求項３に記載の発明によれば、放射線画像撮影システムが、被写体を透過した放射線を検出し、放射線画像情報を取得する放射線画像検出装置と、放射線撮影の順序及び／又は内容を設定可能な制御装置と、放射線画像検出装置と制御装置とを接続する通信回線とを備え、制御装置は、設定した放射線撮影の順序及び／又は内容を通信回線を介して放射線画像検出装置に送信し、放射線画像検出装置は、制御装置から送信された放射線撮影の順序及び／又は内容を変更可能な設定変更手段を備えるため、患者の容態等、撮影時の状況により放射線画像の撮影順序や撮影内容を変更する必要がある場合に、簡単に撮影順序や撮影内容の変更を行うことができる。
【００１９】
請求項４に記載の発明は、請求項３に記載の放射線画像撮影システムにおいて、
前記放射線画像検出装置は、前記設定変更手段により前記制御装置から送信された放射線撮影の順序及び／又は内容を変更した場合、変更された放射線撮影の順序及び／又は内容を前記制御装置に送信することを特徴としている。
【００２０】
このように請求項４に記載の発明によれば、放射線画像検出装置が、設定変更手段により制御装置から送信された放射線撮影の順序及び／又は内容を変更した場合、変更された放射線撮影の順序及び／又は内容を制御装置に送信するため、放射線画像検出装置での撮影順序や撮影内容の変更により制御装置と放射線画像検出装置とで異なる状態になってしまった設定を放射線画像検出装置の変更に合わせて再統一することができる。
【００２１】
請求項５に記載の発明は、請求項３又は４に記載の放射線画像撮影システムにおいて、
前記放射線画像検出装置は表示手段を備えており、
前記表示手段は、前記制御装置から送信された放射線撮影の順序及び／又は内容を表示すると共に、前記設定変更手段により放射線撮影の順序及び／又は内容が変更された場合には、変更された放射線撮影の順序及び／又は内容を表示することを特徴としている。
【００２２】
このように請求項５に記載の発明によれば、放射線画像検出装置が表示手段を備えており、表示手段は、制御装置から送信された放射線撮影の順序及び／又は内容を表示すると共に、設定変更手段により放射線撮影の順序及び／又は内容が変更された場合には、変更された放射線撮影の順序及び／又は内容を表示するため、撮影者が放射線画像の撮影順序や撮影内容を確認し易く、また、放射線画像の撮影順序や撮影内容を確認しながら撮影順序や撮影内容の変更を行うことができる。
【００２３】
請求項６に記載の発明は、請求項３〜５のいずれか一項に記載の放射線画像撮影システムにおいて、
前記通信回線が無線であることを特徴としている。
【００２４】
このように請求項６に記載の発明によれば、通信回線が無線であるため、有線の場合と比べて放射線画像検出装置の持ち運びの自由度が増すと共に、撮影した放射線画像を直ちに制御装置に送信することができる。
【発明の効果】
【００２５】
請求項１に記載の発明によれば、患者の容態等、撮影時の状況により放射線画像の撮影順序や撮影内容を変更する必要がある場合に、簡単に撮影順序や撮影内容の変更を行うことができるため、撮影者の労力を軽減して作業効率を向上させることができる。
【００２６】
請求項２に記載の発明によれば、撮影者が放射線画像の撮影順序や撮影内容を確認し易く、また、放射線画像の撮影順序や撮影内容を確認しながら撮影順序や撮影内容の変更を行うことができるため、より簡単かつ確実に放射線画像の撮影及び撮影順序や撮影内容の変更を行うことができる。
【００２７】
請求項３に記載の発明によれば、患者の容態等、撮影時の状況により放射線画像の撮影順序や撮影内容を変更する必要がある場合に、簡単に撮影順序や撮影内容の変更を行うことができるため、撮影者の労力を軽減して作業効率を向上させることができる。
【００２８】
請求項４に記載の発明によれば、放射線画像検出装置での撮影順序や撮影内容の変更により制御装置と放射線画像検出装置とで異なる状態になってしまった設定を放射線画像検出装置の変更に合わせて再統一することができるため、制御装置と放射線画像検出装置とで設定が異なることとなる不具合を防止でき、放射線画像検出装置での変更に対して、システム全体として統一した設定の状態を保つことができる。
【００２９】
請求項５に記載の発明によれば、撮影者が放射線画像の撮影順序や撮影内容を確認し易く、また、放射線画像の撮影順序や撮影内容を確認しながら撮影順序や撮影内容の変更を行うことができるため、より簡単かつ確実に放射線画像の撮影及び撮影順序や撮影内容の変更を行うことができる。
【００３０】
請求項６に記載の発明によれば、有線の場合と比べて放射線画像検出装置の持ち運びの自由度が増すと共に、撮影した放射線画像を直ちに制御装置に送信することができるため、効率よく複数の放射線画像の撮影を行うことができる。
【発明を実施するための最良の形態】
【００３１】
以下、図面を参照して本発明に係る放射線画像検出装置及び放射線画像撮影システムの実施の形態を詳細に説明する。ただし、本発明は図示例のものに限定されるものではない。
【００３２】
まず、本実施の形態の放射線画像検出装置及び放射線画像撮影システムの構成を説明する。
【００３３】
図１は、本発明を適用した本実施の形態として例示する放射線画像撮影システムの概略構成を示す図である。
【００３４】
図１に示すように、放射線画像撮影システム１００は、放射線画像検出装置としてのＦＰＤ１０ａ〜１０ｄ、放射線画像撮影装置２０、制御装置及び情報管理装置としてのコンソール３０、放射線画像表示装置４０等から構成され、各装置はネットワーク（通信回線）Ｎを介して相互にデータの送受信及び入出力が可能となるように接続されている。
【００３５】
ＦＰＤ１０ａ〜１０ｄ（以下、統括的に「ＦＰＤ１０」と記す。）は、放射線蛍光体や放射線光導電体とＴＦＴスイッチング素子等の２次元半導体検出器を組み合わせて放射線画像情報を検出、取得するカセッテ装置であり、検出した放射線を直接にデジタル変換することにより放射線画像情報を取得する。また、本実施の形態のＦＰＤ１０は、コンソール３０から図２に示すような撮影オーダ情報のうちの一部で撮影に際して必要となる情報（以下、「撮影準備情報」と記す）、例えば、撮影ＩＤ、患者名、撮影部位などの撮影内容等を取得して、ＦＰＤ１０に備える表示手段としての表示部１２に、図３に示すように表示するようになっている。また、ＦＰＤ１０は、取得した放射線画像情報を該当する撮影準備情報と対応付けて、コンソール３０に送信するようになっている。なお、本実施の形態では、撮影ＩＤの番号がコンソール３０で予め設定された撮影順序を示すようになっており、コンソール３０からＦＰＤ１０に撮影準備情報を送信する際には、撮影ＩＤの番号の小さい方から順に撮影を行うように設定されている。
【００３６】
ここで、取得した放射線画像情報と撮影準備情報を対応付ける際、コンソール３０で放射線画像情報と撮影オーダ情報とが対応付けられるようになっていれば良く、放射線画像情報に撮影準備情報の全てを対応付けてコンソール３０に送信しなくても良い。例えば、放射線画像情報に撮影ＩＤのみを対応付けるだけでも、コンソール３０で撮影オーダ情報に対応付ける際に混乱が生じる可能性は低いため、問題はない。これにより、送信する情報量を少なくすることができ、ＦＰＤ１０とコンソール３０の間で効率よく情報の送受信を行うことができる。
【００３７】
放射線画像撮影装置２０（以下、「撮影装置２０」と記す。）は、ＦＰＤ１０を保持又は支持するブッキー台又は臥位テーブルを備える立位型又は臥位型の撮影装置である。撮影装置２０は、放射線源を制御して被写体に放射線を照射し、撮影装置２０に装着されたＦＰＤ１０に放射線画像を記録させるようになっている。なお、撮影装置２０としては、移動可能なポータブル撮影装置、病院内の放射線撮影室に固定設置されている固定式撮影装置の双方が挙げられる。
【００３８】
コンソール３０は、医師から指示された撮影オーダ情報と撮影された放射線画像とを対応付けて管理する装置である。この撮影オーダ情報には、図２に示すように、１の放射線画像撮影に対して１つずつ付される撮影ＩＤの他、撮影する患者の氏名、年齢、性別、生年月日、患者を特定するための患者ＩＤ等の患者に関する情報（以下、「患者情報」と記す。）や、撮影部位（患者の身体上の撮影する部分）、撮影する方向や撮影方法、撮影室、撮影装置等の撮影内容に関する情報（以下、「撮影情報」と記す。）が含まれ、どの患者に対して、どのような撮影を行うかといった詳細な情報が示されている。コンソール３０は、ＦＰＤ１０からの要求指示に応じて、各ＦＰＤ１０ａ〜１０ｄを一義的に識別するための識別情報（以下、「ＦＰＤＩＤ」と記す。）を発行し、ＦＰＤＩＤ毎に撮影オーダ情報を振り分ける。そして、撮影オーダ情報の中から撮影準備情報を抽出してＦＰＤＩＤに対応するＦＰＤ１０に送信するようになっている。
【００３９】
なお、撮影オーダ情報の情報量が少ない場合等には、撮影オーダ情報をそのまま撮影準備情報としてＦＰＤ１０に送信しても良い。
【００４０】
また、撮影が続いている時又は撮影終了後、撮影準備情報及び当該撮影準備情報に対応付けられた放射線画像情報をＦＰＤ１０から受信し、撮影準備情報から該当する撮影オーダ情報を特定し、放射線画像情報を撮影オーダ情報に対応付けて管理する。なお、他の情報管理装置として、撮影オーダ情報の予約受付を行う受付装置（図示省略）を適用しても良く、ＨＩＳ（Hospital Information System）やＲＩＳ（Radiology Information System）等の情報管理システムを適用することとしてもよい。
【００４１】
放射線画像表示装置４０（以下、「表示装置４０」と記す）は、診察室等に設置され、ＣＲＴ（Cathode Lay Tube）、ＬＣＤ（Liquid Crystal Display）等から構成される表示ディスプレイを備える装置である。この表示装置４０に、コンソール３０で管理されている放射線画像を表示させ、放射線画像の読影を行う。
【００４２】
通信回線としてのネットワークＮは、ＬＡＮ（Local Area Network）やＷＡＮ（Wide Area Network）、インターネット等の様々な回線形態を適用可能である。なお、病院等の医療機関内で許可されるのであれば、無線（無線通信）や赤外線通信であってもよいが、撮影オーダ情報（撮影準備情報を含む。）を送受信する際には重要な患者情報を含むため、撮影オーダ情報は暗号化することが好ましい。
【００４３】
次に、本発明において主要な構成要素となる各装置について詳細に説明する。
【００４４】
図４は、ＦＰＤ１０ａ〜１０ｄの機能的構成を示すブロック図である。図４に示すように、ＦＰＤ１０は、ＣＰＵ１１、表示部１２、操作部１３、画像読取部１４、ＲＡＭ１５、記憶部１６、Ｉ／Ｆ１７等から構成され、各部はバスにより接続されている。
【００４５】
ＣＰＵ（Central Processing Unit）１１は、記憶部１６に格納されているシステムプログラム及び各種アプリケーションプログラムの中から指定されたプログラムをＲＡＭ１５に展開し、当該プログラムに従ってＦＰＤ１０の各部を集中制御する。具体的に、ＣＰＵ１１は、記憶部１６から撮影準備処理プログラムを読み出して、コンソール３０からＦＰＤＩＤ及び複数の撮影準備情報を取得する。
【００４６】
また、ＣＰＵ１１は、設定手段及び設定変更手段としての機能を有している。
【００４７】
このうち、設定手段は、予め放射線撮影の順序及び内容の双方又はどちらか一方を設定するものである。本実施の形態では、放射線画像撮影システム１００に組み込まれてコンソール３０からの設定を受信することにより設定されるようになっている。
【００４８】
なお、設定手段は、コンソール３０からの設定を受信するだけではなく、ＦＰＤ１０において一部又は全部が直接設定されるようになっているものでも良い。例えば、コンソール３０からは撮影内容のみが撮影準備情報として送信され、撮影順序は最初からＦＰＤ１０で設定するようになっていても良い。さらに、撮影内容、撮影順序の双方ともＦＰＤ１０で設定するようになっていても良い。
【００４９】
また、設定変更手段は、前記設定手段により予め設定された放射線撮影の順序及び内容の双方又はどちらか一方を変更するものである。本実施の形態では、例えば、後述する操作部１３の操作により、撮影の順序を予め設定されていた撮影ＩＤの番号順から変更することが可能となっている。
【００５０】
さらに、コンソール３０から送信され設定手段が受信して設定された放射線撮影の順序や内容を設定変更手段により変更した場合、変更された放射線撮影の順序や内容をコンソール３０に送信するようになっている。このようにすることで、ＦＰＤ１０での設定変更に対して、システム全体として統一した設定の状態を保つことができる。ここで、本実施の形態では、後述するように、放射線撮影の順序や内容が設定変更手段によって変更されてもすぐにはコンソール３０に対して当該変更を送信せず、撮影した放射線画像情報をコンソール３０に送信する際に、同時に設定変更手段による設定の変更を送信するようになっている。これに対して、設定変更手段によって放射線撮影の順序や内容が変更されると、すぐに当該変更のみをコンソール３０に送信するようになっていても良い。
【００５１】
表示部１２は、ＬＣＤ（Liquid Crystal Display）等による表示ディスプレイを備えた表示手段であり、ＣＰＵ１１からの表示指示に基づいてＦＰＤＩＤ、撮影準備情報等の各種情報を表示する。本実施の形態では、図３に示すように、コンソール３０から受信したＦＰＤＩＤを表示すると共に複数の撮影準備情報をコンソール３０で設定された撮影順序に基づき、表示するようになっている。ここでは、撮影ＩＤの番号順に撮影を行うように撮影順序が設定されている。
【００５２】
操作部１３は、例えばタッチパネルを備えた構成となっており、撮影者が触れた部位と対応する情報を信号としてＣＰＵ１１に出力する。本実施の形態では、操作部１３の操作により、放射線画像の撮影順序を前記した撮影ＩＤの番号順から変更することが可能となっている。具体的には、タッチパネルにおける撮影したい撮影準備情報が表示された部位に触れることにより、ＣＰＵ１１の設定変更手段に当該撮影準備情報に対応する放射線画像を撮影したい旨の信号を出力する。そして、当該信号を受信したＣＰＵ１１からの指示により、当該撮影準備情報が表示された部位の色が変わるなど変化して選択状態となり、当該撮影準備情報に対応する放射線画像を撮影可能な状態となるものである。なお、操作部１３は、必要に応じてタッチパネル以外のポインティングデバイスや、カーソルキー、数字キー及び各種機能キー等による入力装置等、その他の入力装置を備えるものとしてもよい。また、変更可能な設定は、放射線画像の撮影順序だけでなく、撮影する部位や方向等の撮影内容を変更可能となっていても良い。この場合には、例えば撮影する部位や方向が表示された部分をタッチすると、登録された他の部位や方向等が表示されてその中から所望の部位を選択したり、キー入力で他の部位を入力したりすることとなる。
【００５３】
画像読取部１４は、例えば、固体光検出器と放射線を可視光に変換するシンチレータとを積層して構成され、固体光検出器は、石英ガラスからなる基板上に、アモルファス半導体と、該アモルファス半導体を挟む透明導電膜及び導電膜とからなる固体光検出素子をマトリクス状に配列してなる。固体光検出器では、対象物を透過した放射線をシンチレータで可視光に変換し、この可視光を固体光検出素子の光電変換部により電気信号として検出する。そして、検出した電気信号を、各個体検出素子から所定の読み出し方法により読み出し、Ａ／Ｄ変換して放射線画像信号として出力する。この放射線画像信号は、デジタル放射線画像データとして記憶部１６に撮影準備情報と対応させて記憶される。
【００５４】
また、前記操作部１３の操作により、撮影順序を変更して放射線画像を撮影した場合には、当該放射線画像を撮影順序変更後の撮影準備情報に対応させて記憶される。
【００５５】
ＲＡＭ（Random Access Memory）１５は、前述の指定されたアプリケーションプログラム、入力指示、入力データ及び処理結果等を格納するワークメモリエリアを有する。
【００５６】
記憶部１６は、ＳＲＡＭ（Static Random Access Memory）やＳＤＲＡＭ（SynchronousDynamic Random Access Memory）等の揮発性メモリ、又はフラッシュメモリ等の不揮発性メモリにより構成される。記憶部１６は、ＦＰＤＩＤや撮影準備情報、画像読取部１４から出力される放射線画像データを記憶する。また、ＣＰＵ１１において、データの一時保存が必要な場合等にも用いられる。
【００５７】
Ｉ／Ｆ１７は、ＦＰＤ１０と、撮影装置２０又はコンソール３０とを接続するためのインターフェースであり、ＦＰＤ１０と、撮影装置２０又はコンソール３０との間で、データの転送速度の調整や、データ形式の変換を行い、両者間のデータのやりとりを仲介する。また、本実施の形態のＦＰＤ１０は、無線通信機能を備えており、Ｉ／Ｆ１７から、例えば無線ＬＡＮ（Local Area Network）等の無線通信方式の端末を介して各種情報の通信を行うようになっている。例えば、撮影した放射線画像を撮影準備情報に対応させてコンソール３０に送信するようになっている。ここで、撮影順序を変更した場合には、変更後の撮影準備情報に放射線画像を対応させて送信するようになっている。
【００５８】
なお、Ｉ／Ｆ１７は、ＰＨＳ等の携帯電話端末に接続され、これにより無線通信を確立してネットワークＮに接続される構成であってもよい。
【００５９】
次に、図５を参照して撮影装置２０について詳細に説明する。図５は、撮影装置２０の機能的構成を示すブロック図である。図５に示すように、撮影装置２０は、ＣＰＵ２１、表示部２２、操作部２３、画像処理部２４、通信部２５、ＲＡＭ２６、記憶部２７、放射線源２８、Ｉ／Ｆ２９等を備えて構成され、各部はバスにより接続されている。なお、撮影装置２０は、前述したＦＰＤ１０と略同一の構成要素を備えているため、重複する部分については、対応する記号を付し、詳細な説明を省略する。
【００６０】
ＣＰＵ２１は、記憶部２６に格納されているシステムプログラム及び各種アプリケーションプログラムの中から指定されたプログラムをＲＡＭ２５に展開し、当該プログラムに従って撮影装置２０の各部を集中制御する。具体的に、ＣＰＵ２１は、記憶部２６から撮影処理プログラムを読み出して、ＦＰＤ１０を使用して放射線画像の撮影を行うようになっている。
【００６１】
通信部２４は、ＬＡＮアダプタやルータやＴＡ（Terminal Adapter）等によって構成され、専用線、ＩＳＤＮ回線或いは無線ＬＡＮ等の通信回線を介してネットワークＮに接続された各装置との間の通信を制御する。
【００６２】
記憶部２６は、プログラムやデータが予め記憶されている記憶媒体（図示省略）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置２６に固定的に設けられるもの又は着脱自在に装着するものである。
【００６３】
画像処理部２７は、ＦＰＤ１０から入力された放射線画像データに各種画像処理を施して表示部２２に出力する。各種画像処理には、画像コントラストを調整する階調処理、コントラスト補正処理、画像の鮮鋭度を調整する周波数強調処理、ダイナミックレンジの広い画像を被写体の細部のコントラストを低下させることなく見やすい濃度範囲に収めるためのダイナミックレンジ圧縮処理等が含まれる。
【００６４】
放射線源２８は、放射線（例えば、Ｘ線）を発生する管球等により構成され、被写体に対して移動可能なように設置されている。放射線源２８は、ＣＰＵ２１の指示に応じて、撮影条件に応じた所定の強度の放射線を被写体に照射する。
【００６５】
次に、コンソール３０について詳細に説明する。なお、コンソール３０は、前述した撮影装置２０と略同一の構成要素を備えているものであり、同一部分については、対応する符号を付し、詳細な説明を省略する。すなわち、図６に示すように、コンソール３０は、ＣＰＵ３１、表示部３２、入力部３３、通信部３４、ＲＡＭ３５、記憶部３６、Ｉ／Ｆ３７等を備えて構成され、各部はバスにより接続されている。
【００６６】
ＣＰＵ３１は、記憶部３６に格納されているシステムプログラム及び各種アプリケーションプログラムの中から指定されたプログラムをＲＡＭ３５に展開し、当該プログラムに従ってコンソール３０の各部を集中制御する。具体的に、ＣＰＵ３１は、記憶部３６から撮影準備処理プログラムを読み出して、ＦＰＤ１０の要求に応じてＦＰＤＩＤを発行し、撮影準備情報を送信する。
【００６７】
記録部３６は、プログラムやデータが予め記憶されている記憶媒体（図示省略）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置３６に固定的に設けられるもの又は着脱自在に装着するものである。
【００６８】
具体的に、記録部３６には、医師から指示された撮影オーダ情報を一括して管理するためのデータベース（ＤＢ）、撮影された放射線画像を撮影オーダ情報に対応付けて記録するための放射線画像ＤＢ等を備えている。また、記録部３６には、ＦＰＤ１０から取得した放射線画像を画像補正するための補正データを撮影装置及びＦＰＤＩＤに対応付けて記憶している。
【００６９】
すなわち、ＦＰＤ１０に搭載される大面積センサは、個々の画素の放射線に対する感度が均一でないため、個々の画素の感度バラツキを補正する必要がある。また、撮影装置２０に固有の放射線照射ムラ、後方錯乱ムラ、使用されるグリッドに起因して画像に重畳されるパターンなど、撮影装置２０に起因する画像劣化も同時に除去又は低減する補正をする必要がある。そこで、各撮影装置２０においてＦＰＤ１０毎に感度補正画像を予め取得しておき、ＦＰＤ１０毎に取得した補正画像の各画素値に基づいて撮影された放射線画像に表れる感度の不均一性の影響、撮影装置２０毎の画像劣化を低減させる画像補正を行うための補正データを算出し、これをＦＰＤＩＤに対応付けて記憶している。
【００７０】
なお、この補正データは、例えば、放射線画像と共に対応する補正データが表示装置４０に送信され、表示装置４０にて放射線画像を表示させる際に、表示装置４０にて補正データに基づく画像補正処理が実行されるものとする。或いは、撮影時に、撮影オーダ情報と共にＦＰＤＩＤ及び撮影装置２０に対応する補正データがＦＰＤ１０に送信され、撮影装置２０において放射線画像を表示させる際に、補正データを用いた画像補正が施され、表示部２２に表示される構成であってもよい。
【００７１】
次に、本実施の形態の動作を説明する。
【００７２】
なお、各機能を実現するためのプログラムはコンピュータが読み取り可能なプログラムコードの形態でＦＰＤ１０の記憶部１６、撮影装置２０の記憶装置２６又はコンソール３０の記憶部３６に格納されており、ＦＰＤ１０のＣＰＵ１１、撮影装置２０のＣＰＵ２１又はコンソール３０のＣＰＵ３１は、当該プログラムコードに従った動作を逐次実行するようになっている。
【００７３】
以下、ＦＰＤ１０及びコンソール３０により実行される撮影に関する処理について説明する。まず、ＦＰＤ１０の操作部１３を介して、撮影準備情報の要求指示が入力されると、ＣＰＵ１１は、Ｉ／Ｆ１７を制御して、撮影準備情報の要求指示をコンソール３０に送信する。
【００７４】
コンソール３０のＣＰＵ３１は、ネットワークＮを介して、ＦＰＤ１０から撮影準備情報の要求指示を受信すると、ＦＰＤ１０に固有の識別情報となるＦＰＤＩＤを発行する。次いで、ＣＰＵ３１は、発行したＦＰＤＩＤに撮影オーダ情報を振り分け、振り分けた撮影オーダ情報から撮影に必要となる情報（例えば、撮影ＩＤ、患者名、撮影部位、撮影する方向等）を撮影準備情報として抽出する。なお、ＦＰＤ１０に複数の撮影オーダ情報が振り分けられている場合、ＣＰＵ３１は、複数の撮影オーダ情報から撮影準備情報を抽出する。そして、ＣＰＵ３１は、抽出した撮影準備情報にＦＰＤＩＤを対応付けて、ＦＰＤ１０に送信する。
【００７５】
次いで、ＦＰＤ１０のＣＰＵ１１の設定手段は、Ｉ／Ｆ１７を介して、ＦＰＤＩＤ及び複数の撮影準備情報を受信し、受信したＦＰＤＩＤ及び複数の撮影準備情報を記憶部１６に記憶させる。ここで、撮影準備情報は、撮影者が撮影を行うために必要となる情報であり、例えば、撮影ＩＤ、患者名、撮影部位、撮影する方向等を含む情報である。そして、ＣＰＵ１１は、図３に示すように、取得した撮影準備情報を撮影ＩＤの番号順に表示部１２に表示させる。
【００７６】
なお、前述した処理は、ＦＰＤ１０を初めて使用する場合に実行される処理であり、２回目以降に撮影を行う場合、ＦＰＤ１０は、記憶部１６に記憶したＦＰＤＩＤを撮影準備情報要求指示と共に送信し、コンソール３０は、受信したＦＰＤＩＤに対応する撮影オーダ情報を取得して撮影準備情報を抽出する。そして、コンソール３０は、撮影準備情報をＦＰＤ１０に送信し、ＦＰＤ１０は、受信した撮影準備情報を記憶部１６に記憶すると共に、表示部１２に表示する。
【００７７】
ここで、図３を参照して、ＦＰＤ１０の表示部１２に表示される撮影準備情報について説明する。図３に示すように、ＦＰＤ１０の表面には、ＬＣＤ等により構成される表示部１２が設けられ、表示部１２には、複数の撮影準備情報がコンソール３０で設定された撮影順、ここでは撮影ＩＤの順に表示される。ここで、撮影準備情報としては、撮影ＩＤ、患者ＩＤ、患者名、撮影部位、撮影する方向が表示されている。このように、撮影準備情報を表示させることにより、撮影者（技師）は、撮影対象となる患者、撮影する部位、方向等を把握することができる。
【００７８】
そして、撮影ＩＤの順に放射線画像の撮影を行っていくと、撮影された放射線画像が撮影準備情報に対応して記憶され、順にコンソール３０に送信されるようになっている。
【００７９】
ここで、前記表示部１２は、タッチパネル式の操作部１３を兼ねており、当該表示部１２に表示された複数の撮影準備情報のうちの１つに触れると当該撮影準備情報が選択され、設定変更手段により撮影順序が変更されて撮影ＩＤの順番に関係なく当該撮影準備情報に対応する放射線画像を撮影するようになっている。そして、当該撮影順序を変更して撮影された放射線画像は、変更後の撮影準備情報に対応させてコンソール３０に送信されるようになっている。撮影部位や方向等の撮影内容の変更の際には、例えば、操作部１３の該当部分をタッチして変更リストを表示させ、当該リストから変更後の内容を選択するようになっている。この場合も、撮影された放射線画像に変更後の撮影内容を含む撮影準備情報を対応させて、コンソール３０に送信する。
【００８０】
次に、撮影装置２０により実行される撮影処理について説明する。撮影装置２０の備えるブッキー台又は臥位テーブルにＦＰＤ１０が装着されたことを検知すると、撮影装置２０のＣＰＵ２１は、ＦＰＤ１０の記憶部１６に記憶されているＦＰＤＩＤ及び複数の撮影準備情報を取得する。そして、取得した撮影準備情報を表示部２２に撮影順に一覧表示させる。つまり、１枚のＦＰＤ１０には、通常複数の撮影オーダ情報が割り当てられているため、当該ＦＰＤ１０に割り当てられている複数の撮影準備情報を一覧表示させることとなる。
【００８１】
次いで、表示部２２に表示された撮影準備情報の中から、操作部２３を介して撮影準備情報が選択されたか否かを判別し、撮影準備情報が選択された場合、表示部２２において、選択された撮影準備情報の色を変える等の表示処理を行う。
【００８２】
そして、操作部２３を介して、撮影開始指示が入力されたか否かを判別し、撮影開始指示が入力された場合、ＣＰＵ２１は、放射線源２８を制御して、被写体に対して放射線を照射して、ＦＰＤ１０に放射線画像を記録させる。続いて、ＦＰＤ１０に記録した放射線画像を取得し、取得した放射線画像を表示部２２に表示させる。その後、放射線画像にＦＰＤＩＤ及び撮影準備情報を対応付けて、コンソール３０に送信する。
【００８３】
続いて、次の放射線画像の撮影を行う指示が入力された場合、前述した処理を繰り返して実行する。なお、指示が入力されない場合は、撮影ＩＤの番号の小さい順で撮影を行うようになっている。そして、撮影を終了する指示が入力された場合、本撮影処理を終了する。
【００８４】
以上のように、本実施の形態の放射線画像検出装置によれば、予め放射線撮影の順序及び／又は内容を設定する設定手段と、設定手段により予め設定された放射線撮影の順序及び／又は内容を変更可能な設定変更手段とを備えるため、患者の容態等、撮影時の状況により放射線画像の撮影順序や撮影内容を変更する必要がある場合に、簡単に撮影順序や撮影内容の変更を行うことができる。
【００８５】
その結果、撮影者の労力を軽減して作業効率を向上させることができる。
【００８６】
また、本実施の形態では、放射線画像検出装置が、設定手段により予め設定された放射線撮影の順序及び／又は内容を表示すると共に、設定変更手段により放射線撮影の順序及び／又は内容が変更された場合には、変更された放射線撮影の順序及び／又は内容を表示する表示手段を備えるため、撮影者が放射線画像の撮影順序や撮影内容を確認し易く、また、放射線画像の撮影順序や撮影内容を確認しながら撮影順序や撮影内容の変更を行うことができる。
【００８７】
その結果、より簡単かつ確実に放射線画像の撮影及び撮影順序や撮影内容の変更を行うことができる。
【００８８】
さらに、本実施の形態の放射線画像撮影システムによれば、被写体を透過した放射線を検出し、放射線画像情報を取得する放射線画像検出装置と、放射線撮影の順序及び／又は内容を設定可能な制御装置と、放射線画像検出装置と制御装置とを接続する通信回線とを備え、制御装置は、設定した放射線撮影の順序及び／又は内容を通信回線を介して放射線画像検出装置に送信し、放射線画像検出装置は、制御装置から送信された放射線撮影の順序及び／又は内容を変更可能な設定変更手段を備えるため、患者の容態等、撮影時の状況により放射線画像の撮影順序や撮影内容を変更する必要がある場合に、簡単に撮影順序や撮影内容の変更を行うことができる。
【００８９】
その結果、撮影者の労力を軽減して作業効率を向上させることができる。
【００９０】
またさらに、本実施の形態では、放射線画像検出装置が、設定変更手段により制御装置から送信された放射線撮影の順序及び／又は内容を変更した場合、変更された放射線撮影の順序及び／又は内容を制御装置に送信するため、放射線画像検出装置での撮影順序や撮影内容の変更により制御装置と放射線画像検出装置とで異なる状態になってしまった設定を放射線画像検出装置の変更に合わせて再統一することができる。
【００９１】
その結果、制御装置と放射線画像検出装置とで設定が異なることとなる不具合を防止でき、放射線画像検出装置での変更に対して、システム全体として統一した設定の状態を保つことができる。
【００９２】
また、本実施の形態では、放射線画像検出装置が表示手段を備えており、表示手段は、制御装置から送信された放射線撮影の順序及び／又は内容を表示すると共に、設定変更手段により放射線撮影の順序及び／又は内容が変更された場合には、変更された放射線撮影の順序及び／又は内容を表示するため、撮影者が放射線画像の撮影順序や撮影内容を確認し易く、また、放射線画像の撮影順序や撮影内容を確認しながら撮影順序や撮影内容の変更を行うことができる。
【００９３】
その結果、より簡単かつ確実に放射線画像の撮影及び撮影順序や撮影内容の変更を行うことができる。
【００９４】
さらに、本実施の形態では、通信回線が無線であるため、有線の場合と比べて放射線画像検出装置の持ち運びの自由度が増すと共に、撮影した放射線画像を直ちに制御装置に送信することができる。
【００９５】
その結果、効率よく複数の放射線画像の撮影を行うことができる。
【００９６】
またさらに、本実施の形態では、制御装置が、管理する撮影オーダ情報のうちの一部を放射線画像検出装置に送信するようになっているため、放射線画像検出装置に対しては、撮影オーダ情報のうち、放射線画像の撮影時及び撮影順序の変更時に必要な情報のみを送信することができる。
【００９７】
その結果、送受信するデータ量を減らしてより迅速に効率よく作業を進めることができる。
【００９８】
なお、前述した本実施の形態における記述は、本発明に係る好適な放射線画像システムの一例であり、これに限定されるものではない。
【００９９】
例えば、本実施の形態においては、ＦＰＤ１０の要求に応じて個々のＦＰＤにＦＰＤＩＤを発行する場合を例として説明を行ったが、予めＦＰＤの記憶部１６にＦＰＤＩＤが記憶されているか、ＦＰＤ１０の表面に貼付されたバーコードによりＦＰＤＩＤが固定して設定されていてもよい。この場合、ＦＰＤ１０は予めコンソール３０にＦＰＤＩＤを送信してＦＰＤＩＤの登録を行い、このＦＰＤＩＤに対応付けて撮影オーダ情報の振り分けを行わせる。そして、撮影準備情報の要求指示と共にＦＰＤＩＤを送信し、ＦＰＤＩＤに対応する撮影準備情報を受信するようになっている。
【０１００】
また、本実施の形態においては、撮影した放射線画像を撮影装置２０に備える表示部２２に表示させる場合を例として説明を行ったが、撮影した放射線画像を表示装置４０に送信して、表示装置４０で放射線画像の確認を行う構成であってもよい。或いは、放射線画像システム１００に表示装置４０を備えずに、撮影装置２０に備える表示部２２が表示装置４０と同等の機能を備える構成であってもよい。さらに、ＦＰＤ１０はＩ／Ｆ１７を介してコンソール３０と直接的に接続される場合を例として説明を行ったが、これに限らず、ＦＰＤ１０はＩ／Ｆ１７を介してネットワークＮに接続され、ネットワークＮを介して情報の送受信が行われる構成であってもよい。
【０１０１】
また、撮影準備情報に含まれる情報は一例であり、前述した例に限定されない。すなわち、撮影者が放射線画像の撮影に必要となる情報が含まれていればよい。したがって、ＦＰＤ１０の表示部１２に表示される撮影準備情報についても前述した例に限定されない。なお、本実施の形態においては、ＦＰＤ１０に表示部１２を備え、表示部１２に撮影準備情報を表示させる構成としたが、ＦＰＤ１０に表示部１２を備えずに、別体に構成される表示装置に接続され、記憶部１６に記憶された撮影準備情報を読み出して、接続された表示装置に撮影準備情報を表示させる構成であってもよい。
【０１０２】
その他、本実施の形態における放射線画像システムの各構成要素の細部構成及び細部動作に関しては、本発明の趣旨を逸脱することのない範囲で適宜変更可能であることは勿論である。
【図面の簡単な説明】
【０１０３】
【図１】本発明を適用した本実施の形態として例示する放射線画像撮影システムの概略構成を示す図である。
【図２】コンソールで管理する撮影オーダ情報を示す図である。
【図３】ＦＰＤに表示される撮影準備情報等の表示画面例である。
【図４】図１に示すＦＰＤの機能的構成を示すブロック図である。
【図５】図１に示す撮影装置の機能的構成を示すブロック図である。
【図６】図１に示すコンソールの機能的構成を示すブロック図である。
【符号の説明】
【０１０４】
１００    放射線画像撮影システム
１０  ＦＰＤ（放射線画像検出装置）
１１  ＣＰＵ（設定手段、設定変更手段）
１２  表示部（表示手段）
１３  操作部
１４  画像読取部
１５  ＲＡＭ
１６  記憶部
１７  Ｉ／Ｆ
２０  撮影装置（放射線画像撮影装置）
２１  ＣＰＵ
２２  表示部
２３  操作部
２４  通信部
２５  ＲＡＭ
２６  記憶部
２７  画像処理部
２８  放射線源
２９  Ｉ／Ｆ
３０  コンソール（制御装置、情報管理装置）
３１  ＣＰＵ
３２  表示部
３３  入力部
３４  通信部
３５  ＲＡＭ
３６  記憶部
３７  Ｉ／Ｆ
４０  画像表示装置
Ｎ  ネットワーク
【図１】
2006116001.tif 000003
【図２】
2006116001.tif 000004
【図３】
2006116001.tif 000005
【図４】
2006116001.tif 000006
【図５】
2006116001.tif 000007
【図６】
2006116001.tif 000008